(57)【要約】      （修正有）【課題】焼却炉、燻焼炉、その他、熱処理をもって発生する排煙等を無害化させる。【解決手段】排煙処理装置１に設けた開口部３から、排煙を挿入する。排煙処理装置１の中に入れてある燻焼液、叉は中和溶液を通り気泡状態で開口部６の部分からダクト５を通って高速回転タービン７で燻焼液、叉は中和溶液と排煙を攪拌させる、依って気泡状態になった燃焼排煙の成分は気泡状態の燻焼液、叉は中和溶液部分に溶解される、更にダクト９を通って開口部１０より処理区分室２０に送出させる。ついで、気泡状態になった処理排気は、排煙処理装置１に入れてある燻焼液、叉は中和溶液中を通り気泡状態で処理区分室２１に送出させる。処理区分室２１に送出された気泡状態になった処理排気は横仕切り板１１を通過して処理区分室２２に無害空気に処理され、ダクト１２に設けられた開口部１３を介し開口部１４より排出させる。【選択図】  図４
2004351405.tif 000002
【特許請求の範囲】
【請求項１】
燃焼排煙を燃焼消却させる事なく、燻焼液の中に溶解させる事を特徴とする燃焼排煙処理方法。
【請求項２】
燃焼排煙を燃焼消却させる事なく、中和溶液の中に溶解させる事を特徴とする燃焼排煙処理方法。
【請求項３】
燃焼排煙を燃焼消却させる事なく、燻焼液の中を通過させる事により、排煙中の水蒸気を水質化する事を特徴とする燃焼排煙処理方法。
【請求項４】
燃焼排煙を燃焼消却させる事なく、中和溶液の中を通過させる事により、排煙中の水蒸気を水質化する事を特徴とする燃焼排煙処理方法。
【請求項５】
燃焼排煙を燃焼消却させる事なく、燻焼液の中を通過させる事により、排煙中の水蒸気と油性分とを溶液中に吸収する事を特徴とする燃焼排煙処理方法。
【請求項６】
燃焼排煙を燃焼消却させる事なく、中和溶液の中を通過させる事により、排煙中の水蒸気と油性分とを溶液中に吸収する事を特徴とする燃焼排煙処理方法。
【請求項７】
燃焼排煙を燃焼消却させる事なく、燻焼液と排煙とを高速回転のタービンで攪拌し排煙中の成分を燻焼液の中に吸収する事を特徴とする燃焼排煙処理方法。
【請求項８】
燃焼排煙を燃焼消却させる事なく、中和溶液と排煙を高速回転のタービンで攪拌し排煙中の成分を中和溶液の中に吸収する事を特徴とする燃焼排煙処理方法。
【請求項９】
燃焼排煙を燃焼消却させる事なく、排煙中の成分を燻焼液の中に吸収すると共に、処理された排気の一部を焼却炉、及び燻焼炉に循環させる事を特徴とする燃焼排煙処理方法。
【請求項１０】
燃焼排煙を燃焼消却させる事なく、排煙中の成分を中和溶液の中に吸収すると共に、処理された排気の一部を焼却炉、及び燻焼炉に循環させる事を特徴とする燃焼排煙処理方法。
【発明の詳細な説明】
【０００１】
【発明の属する技術分野】
本発明は、焼却炉、燻焼炉、その他、熱処理をもって発生する排煙を燃焼消却させる事なく排煙中の成分を燻焼液に溶解させる事により排煙の中に含まれる成分を大気中に放出することなく、排煙を無害化させて大気中に排出し、併せて処理後の排気を循環空気として利用しようとする技術に関するものである。
【０００２】
【発明の属する技術分野】
本発明は、焼却炉、燻焼炉、その他、熱処理をもって発生する排煙を燃焼消却させる事なく排煙中の成分を中和溶液に溶解させる事により排煙の中に含まれる成分を大気中に放出することなく、排煙を無害化させて大気中に排出する。併せて処理後の排気を循環空気として利用しようとする技術に関するものである。
【０００３】
【従来の技術】
従来、焼却処理施設からの排煙処理は石油バーナー等による二次燃焼方法が主である為、有害物質の増大とともに大気中放出であり種々の問題が生じている。又、化石燃料に依る二次燃焼処理の為、有限資源の消費、ＣＯ２の増大に依る地球環境負荷の問題が生じている。
【０００４】
【発明が解決しようとする課題】
焼却炉、燻焼炉、その他、熱処理をもって発生する排煙等を無害化させる為の方法で、化石燃料に依る二次燃焼処理施設を不必要とし、有害物質の大気中放出に依る大気汚染を抑制し、地球資源のさらなる有効利用できる処理装置が要求されていた。
【０００５】
【問題を解決する為の手段】
本発明は、上記問題を解決するために発明されたものであり、本発明の第一発明は化石燃料に依る二次燃焼処理施設が不必要であると共に、有害物質の大気中放出に依る大気汚染を抑制する燃焼排煙処理方法である。
【０００６】
また、本発明の第二発明は、焼却炉、燻焼炉、その他、熱処理をもって発生する排煙等、燻焼液の中を通過させる事により、排煙中の水燕気と油成分を水質化する燃焼排煙処理方法である。
【０００７】
また、本発明の第三発明は、焼却炉、燻焼炉、その他、熱処理をもって発生する排煙等、中和溶液の中を通過させる事により、排煙中の水蒸気と油成分を水質化する燃焼排煙処理方法である。
【０００８】
更に、本発明の第四発明は、焼却炉、燻焼炉、その他、熱処理をもって発生する排煙等を、燻焼液と排煙を高速回転のタービンで攪拌し排煙中の成分を燻焼液の中に溶解する燃焼排煙処理方法である。
【０００９】
更に、本発明の第五発明は、焼却炉、燻焼炉、その他、熱処理をもって発生する排煙等を、中和溶液と排煙を高速回転のタービンで撹拌し排煙中の成分を中和溶液の中に溶解する燃焼排煙処理方法である。
【００１０】
更にまた、本発明の第六発明は  焼却炉、燻焼炉、その他、熱処理をもって発生する排煙等を燻焼液と排煙とを高速回転のタービンで攪拌し排煙中の成分を燻焼液の中に溶解すると共に無害化された処理後の排気を循環空気として利用しようとする燃焼排煙処理方法である。
【００１１】
更にまた、本発明の第七発明は  焼却炉、燻焼炉、その他、熱処理をもって発生する排煙等を中和溶液と排煙とを高速回転のタービンで攪拌し排煙中の成分を中和溶液の中に溶解すると共に無害化された処理後の排気を循環空気として再利用しようとする燃焼排煙処理方法である。
【００１２】
【実施例１】
次に、本発明の実施例の実施例１を図１乃至図６に基づいて説明する。
図１は実施例の正面図、図２は平面図、図３は側面図、図４はＩ−Ｉ線矢視断面図、図５はＩＩ−ＩＩ線矢視断面図、図６は作用説明図である。
【００１３】
図１乃至図６において、１は燃焼排煙処理装置（以後装置という）で、同装置１は縦仕切り板４ａ、４、４ｃ、及び横仕切り板１１で、処理区分室１８、１９、２０、２１、２２に区分されている。また縦仕切り板４ａ、４ｂ、４ｃ、及び横仕切り板１１は連口する開口が設けてある。２は装置の上部に設けられた燃焼排煙吸入ダクト、３は燃焼排煙吸入ダクト２の開口部、７は高速回転タービンで燻焼液、叉は中和溶液と排煙を攪拌するための装置。１５は高速回転のタービン７を回転するための動力で、電動モーター電力供給コード１６、１７が取り付けられている。５は区分室１９からタービン７につながる通気ダクトで開口部６がある。８は通気ダクト５に取り付けられた燻焼液、叉は中和溶液供給用の給水用パイプ、９は高速回転タービン７で燻焼液、叉は中和溶液と排煙との攪拌後の気泡と空気とを排出させるためのダクトで開口部１０がある。ダクト１２は処理後の燃焼排煙を送出させるためのダクトである。処理後の清浄空気は開口部１３から開口部１４を通って送出される。２３は装置１に入れてある燻焼液、叉は中和溶液の水位点検室。２４は処理区分室２１と水位点検室２３とに通じる開口部である。
【００１４】
このように構成された実施例で、排煙処理装置１に設けた開口部３から、焼却炉、燻焼炉、その他、熱処理をもって発生する排煙を挿入すると共に排煙処理装置１の中に入れてある燻焼液、叉は中和溶液を通り気泡状態で区分室１９に送出させる。
【００１５】
ついで、気泡状態になった燃焼排煙は開口部６からダクト５を通って高速回転タービン７で燻焼液、叉は中和溶液と排煙とを攪拌させる、依って気泡状態になった燃焼排煙は気泡状態の燻焼液、叉は中和溶液部分に溶解される、更にダクト９を通って開口部１０から区分室２０に送出させる。
【００１６】
ついで、気泡状態になった処理排気は、排煙処理装置１に入れてある燻焼液、叉は中和溶液中を通り気泡状態で区分室２１に送出させる。区分室２１に送出された気泡状態になった処理排気は横仕切り板１１を通過して区分室２２に無害空気に処理されて送出させる。更にダクト１２に設けられた開口部１３を介し開口部１４から排出させる、更にその一部は焼却炉、燻焼炉、その他、燃焼処理装置に循環させる。
【発明の効果】
【００１７】
実施例で説明したように、本発明は次ぎに述べる、優れた効果がえられる。
▲１▼  焼却炉、燻焼炉、その他、熱処理装置から発生する排煙を低温で無煙化することが出来る。
▲２▼  従来の、排煙を消煙するための、二次燃焼室に変わるものであり、二次燃焼によるＣＯ２などの発生もなく地球環境上非常に優しい。
▲３▼  従来、焼却炉、燻焼炉等の排煙二次燃焼用の石油バーナー及びガスバーナー等に使用されていた燃料が不要になり資源の有効利用となる。
▲４▼  装置が小型でかつ電動式なので、特殊資格や特殊技術を必要としない。
▲５▼  従来、高温処理された燃焼ガスは、ＣＯ２を初め、粉塵、油質の白煙等を水蒸気の状態で空気中に飛散させていたが、本発明の燃焼排煙処理装置では、殆どが物質化される。従って、処理物を管理することが容易である。
【図面の簡単な説明】
【図１】本発明に係る実施例の正面図である。
【図２】本発明に係る実施例の平面図である。
【図３】本発明に係る実施例の右側面図である。
【図４】本発明に係る実施例の部分断面図である。
【図５】本発明に係る実施例の矢視断面図である。
【図６】本発明に係る実施例の作用説明図である。
【符号の説明】
１・・・燃焼排煙処理装置
２・・・燃焼排煙吸入ダクト
３・・・開口部
４ａ・・縦仕切り板
４ｂ・・縦仕切り板
４ｃ・・縦仕切り板
５・・・通気ダクト
６・・・開口部
７・・・高速回転タービン
８・・・吸水用パイプ
９・・・ダクト
１０・・開口部
１１・・横仕切り板
１２・・ダクト
１３・・開口部
１４・・開口部
１５・・電動モーター
１６・・電力供給コード
１７・・電力供給コード
１８・・処理区分室
１９・・処理区分室
２０・・処理区分室
２１・・処理区分室
２２・・処理区分室
２３・・水位点検室
２４・・開口部
２５・・動力伝達シャフト
２６・・開口部
【図１】
2004351405.tif 000003
【図２】
2004351405.tif 000004
【図３】
2004351405.tif 000005
【図４】
2004351405.tif 000006
【図５】
2004351405.tif 000007
【図６】
2004351405.tif 000008